【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
混合物を形成するために、コロイド粒子、マトリックス材料前駆体およびイオン種を液体中で組み合わせる工程であって、前記イオン種が前記マトリックス材料前駆体中に分散または可溶化されている、組み合わせる工程と、
前記コロイド粒子を取り囲むマトリックス材料を含有するマトリックスを含むフォトニック構造体を形成するために、前記混合物を固体に転換する工程と、
を含む、方法。
【請求項２】
前記マトリックスは、前記イオン種を含む、請求項１に記載の方法。
【請求項３】
前記マトリックスは、前記イオン種の析出物を含む、請求項１に記載の方法。
【請求項４】
前記液体は、水性または有機性である、請求項１に記載の方法。
【請求項５】
前記転換する工程は、加水分解することを含む、請求項１に記載の方法。
【請求項６】
前記マトリックス材料前駆体は、金属酸化物または混合金属酸化物を含む、請求項１に記載の方法。
【請求項７】
前記金属酸化物は、酸化ケイ素、酸化アルミニウム、酸化チタン、酸化ジルコニウムまたは酸化セリウムを含む、請求項６に記載の方法。
【請求項８】
前記マトリックス材料前駆体は、加水分解性化合物を含む、請求項１に記載の方法。
【請求項９】
前記加水分解性化合物は、テトラエチルオルトシリケート（ＴＥＯＳ）を含む、請求項８に記載の方法。
【請求項１０】
前記コロイド粒子は、ポリマーコロイド、セラミックコロイド、金属コロイド、バイオポリマーコロイドまたは超分子自己集合コロイドを含む、請求項１に記載の方法。
【請求項１１】
前記コロイド粒子は、ポリマーコロイドを含む、請求項１０に記載の方法。
【請求項１２】
前記ポリマーコロイドは、ポリスチレンまたはポリ（メチルメタクリレート）コロイドを含む、請求項１０に記載の方法。
【請求項１３】
前記イオン種の濃度は、前記コロイド粒子を取り囲む前記マトリックス材料の０．１〜１００モル％であり、ここで、モル％とは、前記イオン種と、前記マトリックス材料の繰り返し分子単位との分子比を指す、請求項１に記載の方法。
【請求項１４】
前記イオン種の濃度は、前記コロイド粒子を取り囲む前記マトリックス材料の１〜５０モル％である、請求項１３に記載の方法。
【請求項１５】
前記イオン種の濃度は、前記コロイド粒子を取り囲む前記マトリックス材料の５〜２０モル％である、請求項１４に記載の方法。
【請求項１６】
前記フォトニック構造体は、単結晶である、請求項１に記載の方法。
【請求項１７】
前記フォトニック構造体は、前記イオン種の濃度が増加するにつれて、結晶性が低くなる、請求項１に記載の方法。
【請求項１８】
前記フォトニック構造体は、多結晶である、請求項１７に記載の方法。
【請求項１９】
前記フォトニック構造体は、ガラス状である、請求項１４に記載の方法。
【請求項２０】
前記フォトニック構造体は、クラックがない、請求項１に記載の方法。
【請求項２１】
前記フォトニック構造体は、液滴内に形成される、請求項１に記載の方法。
【請求項２２】
前記液滴は、０．１μｍ〜１０ｍｍである、請求項２１に記載の方法。
【請求項２３】
前記液滴は、１μｍ〜１０ｍｍである、請求項２２に記載の方法。
【請求項２４】
前記液滴は、１μｍ〜１ｍｍである、請求項２３に記載の方法。
【請求項２５】
前記フォトニック構造体は、スペクトル的に改変され、色飽和され、虹色であり、または、制御可能な角度依存光学特性を示す、請求項１に記載の方法。
【請求項２６】
前記制御可能な角度依存光学特性は、スペクトルシフト、色移動、輝き、色相、グレア、艶、または光沢を含む、請求項２５に記載の方法。
【請求項２７】
前記イオン種は、金属塩である、請求項１に記載の方法。
【請求項２８】
前記金属塩は、遷移金属塩である、請求項２７に記載の方法。
【請求項２９】
前記遷移金属塩は、コバルト塩、ニッケル塩、銅塩、マンガン塩またはそれらの混合物を含む、請求項２８に記載の方法。
【請求項３０】
前記遷移金属塩は、硝酸コバルト、硫酸ニッケル、硝酸銅またはそれらの混合物を含む、請求項２９に記載の方法。
【請求項３１】
前記金属塩は、マグネシウム塩を含む、請求項２７に記載の方法。
【請求項３２】
前記マグネシウム塩は、硫酸マグネシウムを含む、請求項３１に記載の方法。
【請求項３３】
前記フォトニック構造体は、触媒作用において有用である、請求項１に記載の方法。
【請求項３４】
第１の成分およびマトリックス成分を含み、
前記マトリックス成分は、分散または可溶化されたイオン種を含む、
フォトニック構造体。
【請求項３５】
前記第１の成分は、気体である、請求項３４に記載のフォトニック構造体。
【請求項３６】
前記第１の成分は、コロイド粒子である、請求項３４に記載のフォトニック構造体。
【請求項３７】
前記コロイド粒子は、ポリマーコロイド、セラミックコロイド、金属コロイド、バイオポリマーコロイドまたは超分子自己集合コロイドを含む、請求項３６に記載のフォトニック構造体。
【請求項３８】
前記コロイド粒子は、ポリマーコロイドを含む、請求項３６に記載のフォトニック構造体。
【請求項３９】
前記ポリマーコロイドは、ポリスチレンまたはポリ（メチルメタクリレート）コロイドを含む、請求項３８に記載のフォトニック構造体。
【請求項４０】
前記イオン種の濃度は、前記マトリックス成分の０．１〜１００モル％である、請求項３４に記載のフォトニック構造体。
【請求項４１】
前記イオン種の濃度は、前記マトリックス成分の１〜５０モル％である、請求項４０に記載のフォトニック構造体。
【請求項４２】
前記イオン種の濃度は、前記マトリックス成分の５〜２０モル％である、請求項４１に記載のフォトニック構造体。
【請求項４３】
前記フォトニック構造体は、単結晶である、請求項３４に記載のフォトニック構造体。
【請求項４４】
前記フォトニック構造体は、多結晶である、請求項３４に記載のフォトニック構造体。
【請求項４５】
前記フォトニック構造体は、ガラス状である、請求項３４に記載のフォトニック構造体。
【請求項４６】
前記フォトニック構造体は、クラックがない、請求項３４に記載のフォトニック構造体。
【請求項４７】
前記フォトニック構造体は、スペクトル的に改変され、色飽和され、虹色であり、または、制御可能な角度依存光学特性を示す、請求項３４に記載のフォトニック構造体。
【請求項４８】
前記制御可能な角度依存光学特性は、スペクトルシフト、色移動、輝き、色相、グレア、艶、または光沢を含む、請求項４７に記載のフォトニック構造体。
【請求項４９】
前記マトリックス成分は、金属酸化物または混合金属酸化物をさらに含む、請求項３４に記載のフォトニック構造体。
【請求項５０】
前記金属酸化物は、酸化ケイ素、酸化アルミニウム、酸化チタン、酸化ジルコニウムまたは酸化セリウムを含む、請求項４９に記載のフォトニック構造体。
【請求項５１】
前記金属酸化物は、加水分解性化合物を含む、請求項４９に記載のフォトニック構造体。
【請求項５２】
前記加水分解性化合物は、テトラエチルオルトシリケート（ＴＥＯＳ）を含む、請求項５１に記載のフォトニック構造体。
【請求項５３】
前記イオン種は、金属塩である、請求項３４に記載のフォトニック構造体。
【請求項５４】
前記金属塩は、遷移金属塩である、請求項５３に記載のフォトニック構造体。
【請求項５５】
前記遷移金属塩は、コバルト塩、ニッケル塩、銅塩、マンガン塩またはそれらの混合物を含む、請求項５４に記載のフォトニック構造体。
【請求項５６】
前記遷移金属塩は、硝酸コバルト、硫酸ニッケル、硝酸銅またはそれらの混合物を含む、請求項５４に記載のフォトニック構造体。
【請求項５７】
前記金属塩は、マグネシウム塩を含む、請求項５３に記載のフォトニック構造体。
【請求項５８】
前記マグネシウム塩は、硫酸マグネシウムを含む、請求項５７に記載のフォトニック構造体。
【請求項５９】
前記フォトニック構造体は、構造顔料、電磁気フィルタ、センサー、光活性触媒、コヒーレント散乱媒体、発光体、ランダムレーザー、または、スマートディスプレイもしくは他のエレクトロクロミック材料などの他の光学用途において有用である、請求項３４に記載のフォトニック構造体。
【請求項６０】
前記フォトニック構造体は、化粧品、医薬品および食用品の調製に有用である、請求項３４に記載のフォトニック構造体。
【請求項６１】
前記フォトニック構造体は、薬物送達、流体デバイス、組織工学、膜、濾過、収着／脱着または支持媒体において有用である、請求項３４に記載のフォトニック構造体。
【請求項６２】
前記フォトニック構造体は、触媒媒体または触媒担体として有用である、請求項３４に記載のフォトニック構造体。
【請求項６３】
前記フォトニック構造体は、エネルギー貯蔵、バッテリーまたは燃料電池において有用である、請求項３４に記載のフォトニック構造体。
【請求項６４】
前記フォトニック構造体は、音響デバイスにおいて有用である、請求項３４に記載のフォトニック構造体。
【請求項６５】
前記フォトニック構造体は、パターン化された構造体の製造において有用である、請求項３４に記載のフォトニック構造体。